(57)【要約】【課題】  長時間の高機能の濾過効果と高い通気率及び雨よけ機能を具えた多層式マスクの提供。【解決手段】  カップ型マスク、ろ材マスク、雨よけマスクで構成され、ろ材マスクのケースに多数のろ材が収容され、カップ型マスク本体とろ材マスクのケースの間に空腔が設けられ、長時間の高機能の濾過効果と高い通気率を有し、ろ材マスクと雨よけマスクの間に自然に下向きに開放された空腔が形成され、これによりろ材マスクの雨よけ機能も有している。【選択図】        図１
2006068336.tif 000002
【特許請求の範囲】
【請求項１】
カップ型マスク、ろ材マスク、及び雨よけマスクで構成された多層式マスク。
【請求項２】
請求項１記載の多層式マスクにおいて、カップ型マスクがカップ型マスク本体とバンド装置で組成され、カップ型マスク本体はキトサンのような殺菌除臭機能を具えた抗菌物質を可塑性を具えた繊維材料で被覆し型で熱圧加工して面体形状に形成してなることを特徴とする、多層式マスク。
【請求項３】
請求項１又は請求項２記載の多層式マスクにおいて、カップ型マスク本体が面体形状に形成されたことを特徴とする、多層式マスク。
【請求項４】
請求項１記載の多層式マスクにおいて、ろ材マスクがろ材マスクケースと複数のろ材を具え、ろ材マスクケースが前ケースと後ろケースで組成され、ろ材マスクケースの前ケースと後ろケースに複数の通気網孔が設けられ、ろ材マスクケースの前ケースと後ろケースの間に厚さを有する空間が形成され、ろ材マスクケースの前ケースと後ろケースの間に形成された空間内に複数のろ材が充填されたことを特徴とする、多層式マスク。
【請求項５】
請求項１又は請求項４記載の多層式マスクにおいて、ろ材マスクケースが面体形状に形成されたことを特徴とする、多層式マスク。
【請求項６】
請求項１又は請求項４記載の多層式マスクにおいて、雨よけマスクが面体形状に形成されたことを特徴とする、多層式マスク。
【請求項７】
請求項１乃至請求項５のいずれかに記載の多層式マスクにおいて、カップ型マスク本体の正面の突出部がろ材マスクケースの後ろケース背面の凹部より小さく、カップ型マスク本体とろ材マスクケースが接合され、カップ型マスク本体の正面の突出部とろ材マスクケースの後ろケースの背面の凹部の間に空腔が形成されたことを特徴とする、多層式マスク。
【請求項８】
請求項１、４、５、６のいずれかに記載の多層式マスクにおいて、ろ材マスクケースの前ケースが雨よけマスクの背面の凹部より小さく、ろ材マスクケースと雨よけマスクが接合され、ろ材マスクケースと雨よけマスクの背面の凹部の間に下向きに開放状の空腔が形成されたことを特徴とする、多層式マスク。
【発明の詳細な説明】
【技術分野】
【０００１】
本発明は一種の多層式マスクに係り、特に、ろ材マスクのケースが多数のろ材を収容し、カップ型マスク本体とろ材マスクのケースの間に空腔が設けられ、長時間の高機能の濾過効果と高い通気率を有するほか、ろ材マスクと雨よけマスク間に自然に下向きに開放状の空腔が形成され、ろ材マスクが雨に濡れるのを防止する雨よけ機能も具備した多層式マスクに関する。
【背景技術】
【０００２】
マスクの着用により人々は生活環境の空気中の有害物が人体に進入したり人体より吐出された空気中のウイルス或いは病原菌が外界空気を汚染するのを防止できる。一般に布製、或いは医療用マスクはいずれも平面型に製造され、且ついずれも耳朶にマスクのバンドを掛けて着用される。顔型の円弧は非平面で、更に耳朶は過大な張力に耐えられないため、このようなタイプのマスクの漏洩は相当に厳重で、その漏洩率は５０％にも達する。工業用マスクは一般にカップ型に形成され、一般にカップ型マスクの長所は使用者の口鼻に対する被覆面積が特大で、ほぼ完全に密封でき、側部からの漏洩がなく、通気率が高いことである。ただし一般にカップ型マスクの中間層は活性炭繊維濾過層及び抗菌繊維層とされ、活性炭繊維濾過層の単位面積に粘着される活性炭数量は有限であり、長時間気体状或いは粉状の有害物質を有効に濾過することは難しく、このためほとんどはフィルタボンベを具えたマスクを採用し、マスクに付設されたフィルタボンベに吸着剤（よく見られるものに有機溶剤を吸着させた活性炭）が装填されている。但し周知のフィルタボンベを具えたカップ型マスクは、その通気範囲が該フィルタボンベの口径サイズに局限され、このため使用者が長時間着用すると、呼吸に力がかかる感覚を覚えるほか、使用場所が屋外であると、フィルタボンベが外界環境の噴水や雨の影響を受け、そのフィルタボンベ内のろ材の機能が低下した。
【発明の開示】
【発明が解決しようとする課題】
【０００３】
本発明の主要な目的は、ろ材マスクを具え、ろ材マスクケースの前ケースと後ろケースの間に厚さを有する空間が形成されて、複数のろ材が収容されて長時間の高機能の濾過効果を有する多層式マスクを提供することにある。
【０００４】
本発明の次の目的は、カップ型マスクとろ材マスクを具え、カップ型マスクとろ材マスクの間に空腔が設けられ、高い通気率を具えた多層式マスクを提供することにある。
【０００５】
本発明の別の目的は、雨よけマスクを具え、ろ材マスクケースと雨よけマスクの間に下向きに開放状の空腔が設けられ、ろ材マスクが雨や噴水に濡れるのを防止する機能を具えた多層式マスクを提供することにある。
【０００６】
本発明は一種の多層式マスクを提供し、それはカップ型マスク、ろ材マスク及び雨よけマスクを具え、そのうち、カップ型マスクはカップ型マスク本体とバンド装置で組成され、カップ型マスク本体は繊維材料を利用し型を用いて熱圧形成され、バンド装置はパッドと二つのバンドを具えている。ろ材マスクはろ材マスクケースと複数のろ材を具え、そのうちろ材マスクケースは前ケースと後ろケースで組成され、ろ材マスクケースの前ケースと後ろケースに多数の通気網孔が設けられ、ろ材マスクケースの前ケースと後ろケースの間に厚さを有する空間が形成されて多数のろ材が装填される。カップ型マスク本体、ろ材マスクケースと雨よけマスクは面体形状に形成され、カップ型マスク本体の正面の突出部はろ材マスクケースの後ろケース背面の凹部よりやや小さく、カップ型マスク本体とろ材マスクケースが接合され、カップ型マスク本体の正面の突出部とろ材マスクケースの後ろケース背面の凹部間に自然に空腔が形成される。ろ材マスクケースの前ケースは雨よけマスク背面の凹部よりやや小さく、ろ材マスクケースと雨よけマスクが接合され、ろ材マスクケースと雨よけマスク背面の凹部の間に自然に下向きに開放状の空腔が形成され、本発明の多層式マスクが長時間の高機能の濾過効果と高い通気率を具備するほか、ろ材マスクが噴水や雨に濡れるのを防止する雨よけ機能を具備している。
【課題を解決するための手段】
【０００７】
請求項１の発明は、カップ型マスク、ろ材マスク、及び雨よけマスクで構成された多層式マスクとしている。
請求項２の発明は、請求項１記載の多層式マスクにおいて、カップ型マスクがカップ型マスク本体とバンド装置で組成され、カップ型マスク本体はキトサンのような殺菌除臭機能を具えた抗菌物質を可塑性を具えた繊維材料で被覆し型で熱圧加工して面体形状に形成してなることを特徴とする、多層式マスクとしている。
請求項３の発明は、請求項１又は請求項２記載の多層式マスクにおいて、カップ型マスク本体が面体形状に形成されたことを特徴とする、多層式マスクとしている。
請求項４の発明は、請求項１記載の多層式マスクにおいて、ろ材マスクがろ材マスクケースと複数のろ材を具え、ろ材マスクケースが前ケースと後ろケースで組成され、ろ材マスクケースの前ケースと後ろケースに複数の通気網孔が設けられ、ろ材マスクケースの前ケースと後ろケースの間に厚さを有する空間が形成され、ろ材マスクケースの前ケースと後ろケースの間に形成された空間内に複数のろ材が充填されたことを特徴とする、多層式マスクとしている。
請求項５の発明は、請求項１又は請求項４記載の多層式マスクにおいて、ろ材マスクケースが面体形状に形成されたことを特徴とする、多層式マスクとしている。
請求項６の発明は、請求項１又は請求項４記載の多層式マスクにおいて、雨よけマスクが面体形状に形成されたことを特徴とする、多層式マスクとしている。
請求項７の発明は、請求項１乃至請求項５のいずれかに記載の多層式マスクにおいて、カップ型マスク本体の正面の突出部がろ材マスクケースの後ろケース背面の凹部より小さく、カップ型マスク本体とろ材マスクケースが接合され、カップ型マスク本体の正面の突出部とろ材マスクケースの後ろケースの背面の凹部の間に空腔が形成されたことを特徴とする、多層式マスクとしている。
請求項８の発明は、請求項１、４、５、６のいずれかに記載の多層式マスクにおいて、ろ材マスクケースの前ケースが雨よけマスクの背面の凹部より小さく、ろ材マスクケースと雨よけマスクが接合され、ろ材マスクケースと雨よけマスクの背面の凹部の間に下向きに開放状の空腔が形成されたことを特徴とする、多層式マスクとしている。
【発明の効果】
【０００８】
本発明の多層式マスクは長時間の高機能の濾過効果と高い通気率を具備するほか、ろ材マスクが噴水や雨に濡れるのを防止する雨よけ機能を具備している。
【発明を実施するための最良の形態】
【０００９】
図１から４に示されるように、本発明の実施例の多層式マスク１は、カップ型マスク１０、ろ材マスク２０及び雨よけマスク３０を具えている。そのうち、カップ型マスク１０はカップ型マスク本体１１とバンド装置１２で組成され、カップ型マスク本体１１は殺菌除臭機能を具えた抗菌物質（例えばキトサン）を可塑性を具えた繊維材料で被覆し、型で熱圧加工して形成され、そのうちバンド装置１２はパッド１２１と二つのバンド１２２、１２３を具えている。ろ材マスク２０はろ材マスクケース２１と二枚の抗菌除臭繊維布２２、２３と複数の活性炭２４（或いはナノ金粒、或いはナノ金銀合金等のガス状有害物或いは粒状有害物を防護できるろ材）を具え、ろ材マスクケース２１は前ケース２１１と後ろケース２１２で組成され、ろ材マスクケース２１の前ケース２１１と後ろケース２１２に多数の通気網孔２１１１、２１２１が設けられ、ろ材マスクケース２１の前ケース２１１と後ろケース２１２の間に厚さを有する空間が形成され、この空間内にあって、前ケース２１１内側に抗菌除臭繊維布２２が貼り付けられ、後ろケース２１２内側にも抗菌除臭繊維布２３が貼り付けられ、抗菌除臭繊維布２２、２３の間に複数の活性炭２４（或いはナノ金粒、或いはナノ金銀合金等のガス状有害物或いは粒状有害物を防護できるろ材）が充填される。カップ型マスク本体１１、ろ材マスクケース２１及び雨よけマスク３０はいずれも面体形状に形成されている。カップ型マスク本体１１の正面の突出部１１１はろ材マスクケース２１の後ろケースの背面の凹部２１２２よりやや小さく、カップ型マスク本体１１とろ材マスクケース２１が接合され、カップ型マスク本体１１の正面の突出部１１１とろ材マスクケース２１の後ろケースの背面の凹部２１２２の間に自然に空腔４０が形成される。ろ材マスクケース２１の前ケース２１１は雨よけマスクの背面の凹部３０１よりやや小さく、ろ材マスクケース２１と雨よけマスク３０が接合され、ろ材マスクケース２１と雨よけマスク３０の背面の凹部３０１の間に自然に下向きに開放状の空腔４１が形成され、本発明の実施例の多層式マスク１が長時間の高機能の濾過効果と高い通気率を具備するものとされるほか、ろ材マスクが雨や噴水に濡れるのを防止する雨よけ機能を具備するものとされる。
【００１０】
上述したように、本発明の実施例の多層式マスク１のろ材マスクケース２１の前ケース２１１と後ろケース２１２の間には適宜厚さの空間が形成され、この空間内に複数のろ材が収容され、これにより長時間の高機能の濾過効果を具備するものとされる。また本発明の実施例の多層式マスク１のカップ型マスク本体１１は殺菌除臭機能を具えた抗菌物質（例えばキトサン）が可塑性の繊維材料に被覆されて型で熱圧加工されて形成され、高い通気率を有する。前ケース２１１に複数の通気網孔２１１１が設けられ、後ろケース２１２にも複数の通気網孔２１２１が設けられ、カップ型マスク本体１１とろ材マスクケース２１が接合され、カップ型マスク本体１１の正面の突出部１１１とろ材マスクケース２１の後ろケース２１２の背面の凹部２１２２の間に自然に空腔４０が形成され、通気面積が大きく、これにより更に高い通気率を有する。また本発明の実施例の多層式マスク１のろ材マスクケース２１と雨よけマスク３０は接合され、ろ材マスクケース２１と雨よけマスクの凹部３０１の間に自然に下向きに開放状の空腔４１が形成され、これにより本発明の実施例の多層式マスク１は高い通気率を有するほか、ろ材マスクが噴水や雨により濡れるのを防止する雨よけ機能を具備するものとされている。
【００１１】
以上は本発明の好ましい実施例の説明であって、本発明の範囲を限定するものではなく、本発明に基づきなしうる細部の修飾或いは改変は、いずれも本発明の請求範囲に属する。例えば可塑性を具えた繊維材料を型により熱圧加工して各種の適当な形状のカップ型マスク本体を形成してから、カップ型マスク本体で一層の抗菌物質（例えばキトサン）を被覆し、並びに本発明の実施例の多層式マスクを形成することも可能で、或いは図５に示されるように、雨よけマスクを省略して雨よけ機能を具備しない形態も可能であり、図５の実施例のその他の機能は先の実施例と同じである。或いはカップ型マスクに設けられたバンド装置にろ材マスク２０を結合させて別の形式の多層式マスクとすることができ、これらはいずれも本発明の請求範囲に属する。
【図面の簡単な説明】
【００１２】
【図１】本発明の多層式マスクの分解図である。
【図２】本発明の多層式マスクのろ材マスクの分解図である。
【図３】本発明の多層式マスクの組合せ図である。
【図４】本発明の多層式マスクの断面図である。
【図５】本発明の別の実施例の多層式マスクの断面図である。
【符号の説明】
【００１３】
１、５  多層式マスク
１０、５０  カップ型マスク
１１、５１  カップ型マスク本体
１１１、５１１  突出部
１２、５２  バンド装置
１２１、５２１  パッド
１２２、１２３、５２２、５２３  バンド
２０、６０  ろ材マスク
２１、６１  ろ材マスクケース
２１１、６１１  前ケース
２１２、６１２  後ろケース
２１１１、２１２１  通気網孔
２１２２、６１２１  凹部
２２、２３、６２、６３  抗菌除臭繊維布
２４、６４  活性炭
３０  雨よけマスク
３０１  凹部
４０、７０  空腔
４１  空腔
【図１】
2006068336.tif 000003
【図２】
2006068336.tif 000004
【図３】
2006068336.tif 000005
【図４】
2006068336.tif 000006
【図５】
2006068336.tif 000007